(57)【要約】【課題】手書きやキー操作によらない簡単な操作で誤入力の危険性を防止して人体医療データの如き対象物の変化する状態を表す状態表示データの効率的データの収集作業を簡易な構成により実現するために用いられるデータ表示装置を提供する。【解決手段】対象物の変化する状態を表す状態表示データを該対象物から検知信号として検知するセンサと、その検知信号を所望の時点で対応する必要なデータに変換するデータ変換手段と、そのデータを数値と該数値に対応するバーコードとを同時又は切換えで表示面上に表示する表示手段とを備えた構成を有している。【選択図】  図１
2004181052.tif 000002
【特許請求の範囲】
【請求項１】
対象物の変化する状態を表す状態表示データを該対象物から検知信号として検知するセンサと、
該検知信号を所望の時点で対応する必要なデータに変換するデータ変換手段と、
該データを数値と該数値に対応するバーコードとを同時又は切換えで表示面上に表示する表示手段と、
を備えたデータ表示装置。
【請求項２】
前記状態表示データは、対象となる個人の体調を表す人体医療データであることを特徴とする請求項１に記載のデータ表示装置。
【請求項３】
前記状態表示データが当該対象物の前記変化する状態の通常起こり得る範囲にあるときに正当な測定値範囲であることを表示する機能を、さらに、備えたことを特徴とする請求項１又は２に記載のデータ表示装置。
【請求項４】
前記表示面上に表示された前記バーコードを読み取りバーコードデータとして出力するバーコードリーダを、さらに備えたことを特徴とする請求項１，２又は３に記載のデータ表示装置。
【発明の詳細な説明】
【０００１】
【発明の属する技術分野】
本発明は、例えば、人体医療データの如き、対象物の変化する状態を表す状態表示データの収集に用いられる機器に関するものである。
【０００２】
【従来の技術】
従来、病院では、看護士の主な業務は、患者の血糖値，体温，脈拍，血圧，等を測りそのデータの収集整理を行うことである。そのために、血糖値，体温，脈拍，血圧を計るための測定器を常に携帯している。更に、緊急を要する時に音声による指示を受けるものの手段として無線機を携帯している。この場合の通信手段は、病院という場所であるためＰＨＳを用いることが通常である。
このように看護士は、多くの機器を携帯している。
【０００３】
これらの機器で測定したデータは、手書きにより患者のＩＤと共にデータシートに記入し、後で過去のデータと比較する等のデータ集計をコンピュータ等の電子機器で行っている。また、手書き入力であるため、看護士は労力を要し、誤記入の危険性もあった。
【０００４】
このような欠点を改善しようとしている例としては、手書きの部分が電子化されているＰｅｒｓｏｎａｌ  Ｄｉｇｔａｌ  （Ｄａｔａ）  Ａｓｓｉｓｔａｎｔｓ  （ＰＤＡ）と呼ばれている電子機器があり、キー入力によりデータがＰＤＡへ収集され、その後メインのコンピュータへデータを送りデータ整理が行われている。しかし、この場合でも、キー入力操作であるため手書き入力に比べ作業は軽減されるが、誤入力という危険性は、依然残っていることになる。
【０００５】
医療データのうち、各患者を識別するためのＩＤデータを表示したバーコードを、血液試料，レントゲン像，超音波像，等のような各患者の医療試料またはその容器に誤りなく添付するために、各患者には当該患者にＩＤ情報を記憶する記憶装置を携行させておき、当該患者の医療試料を採取したときに、当該患者が携行している記憶装置から読み取った各患者のＩＤデータを各患者の医療データに付加して取り扱うことにより、各患者のＩＤデータの表示の誤りを防止しようとする試みが提案されている（例えば、特許文献１参照）。
【０００６】
【特許文献１】
特開平７−２００７０６号公報
【０００７】
しかし、この従来例に提示されたものでは、血液試料，レントゲン像，超音波像，等のような各患者の医療試料またはその容器に各患者のＩＤデータを誤りなく添付する方法を要旨とするものであり、体温，血圧などのように各患者の体調等により変化する状態を表す医療データは依然として手動処理で記載または記録がなされている。従って、各患者の体調等により変化する状態を表す医療データについては、この手動処理による誤記は防止することができない。
【０００８】
【発明が解決しようとする課題】
（１）以上のように、従来例では、手書きで各々の医療計測器のデータを収集整理するため、非常に時間を要し、更に誤記入の可能性もあった。
（２）ＰＤＡを使用する場合には、手書き入力より業務量は軽減されるが、数値を打ち込む作業はなくならず、依然として手間がかかっており、この方法でもまだ誤入力という問題点がある。
（３）このような欠点を解消するために、医療機器全てに通信装置を付け各医療機器のデータを、患者のＩＤと共に送信できれば、手間もかからず、誤入力という問題点もなくなる。しかしながら、低価格の医療測定器を含む全ての機器に通信装置を付けることは、商品化を考えれば不可能である。
（４）また、看護士は、音声で指示を受けるための無線機（ＰＨＳ）、医療品の確認を行うためバーコードリーダ、データ収集のためのＰＤＡ、及び各種の医療機器端末を携帯しており看護士の携帯品が多く煩雑であった。
【０００９】
本発明の目的は、手書きやキー操作によらない簡単な操作で誤入力の危険性を防止して人体医療データの如き対象物の変化する状態を表す状態表示データの効率的データの収集作業を簡易な構成により実現するために用いられるデータ表示装置を提供することにある。
【００１０】
【課題を解決するための手段】
この課題を解決するために、本発明によるデータ表示装置は、対象物の変化する状態を表す状態表示データを該対象物から検知信号として検知するセンサと、
該検知信号を所望の時点で対応する必要なデータに変換するデータ変換手段と、
該データを数値と該数値に対応するバーコードとを同時又は切換えで表示面上に表示する表示手段と
を備えた構成を有している。
前記状態表示データは、例えば、対象となる個人の体調を表す人体医療データである。
前記状態表示データが当該対象物の前記変化する状態の通常起こり得る範囲にあるときに正当な測定値範囲であることを表示する機能を、さらに、備えることができる。
前記表示面上に表示された前記バーコードを読み取りバーコードデータとして出力するバーコードリーダを、さらに備えることができる。
【００１１】
【作用】
このように、例えば、医療機器からデータを入力する時は、これらの機器の表示をバーコード表示とし、バーコードリーダでこの値を入力する。このようにすることにより、人為的な入力ミスが無くなる。また、医療機器の表示部分のみにバーコード表示機能を付加すれば良いので、殆ど個々の機器の価格アップにはならない。
また、手書きのデータを書き留めるノートまたは、ＰＤＡを携帯する必要が無くなり、看護士の携帯物品の数値削減をすることができる。
さらに、入力されたデータは直ちにディジタル情報として記録されるので、パソコン等により、容易に処理編集して利用することができる。
【００１２】
【発明の実施の形態】
図１に、本発明を人体医療データの収集に適用した場合の実施例であるバーコード表示機能付き医療機器のブロック図を示す。
バーコード表示機能付き医療機器３０１は、血糖値測定器、脈拍計、血圧計等の医療器にバーコード表示が出来るように構成されている。また、１０１は患者、２０１は患者の状態を示す医療データを測定するセンサ、２０２は測定されたデータ値をアナログからディジタルに変換するアナログ・ディジタル変換器、２０３はＣＰＵ（中央処理装置Ｃｅｎｔｒａｌ  Ｐｒｏｃｅｓｓｉｎｇ  Ｕｎｉｔ  ）、２０５は液晶表示を切替えるためのスイッチ、２０６は２０７の液晶パネルにデータを表示させるためのドライバ、２０７は液晶パネルである。
【００１３】
患者１０の医療データは、センサ２０１でアナログ信号に変換され、そのデータはＡ／Ｄ変換器２０２によりディジタル信号に変換される。ＣＰＵ２０３は、液晶表示切替えスイッチ２０５の状態により、数値表示か、バーコード表示かを液晶ドライバ２０６へ指示する。ＣＰＵ２０３は、表示に必要なデータを液晶ドライバ２０６へ送り、その信号を受け液晶パネル２０７に表示する。
看護士は、液晶表示切替えスイッチ２０５で医療機器の表示を、数値、又はバーコード表示に切替えることが出来る。バーコード表示はＩＴＦ（Ｉｎｔｅｒｌｅａｖｅｄ  Ｔｗｏ  ｏｆ  Ｆｉｖｅ  の略、１９８７年にＪＩＳに制定された）コードを使用すれば、６桁表示の場合、７．１ｍｍで表示することができる。この時の条件は、ナロウ幅対ワイド幅は、１対２．５で計算してある。小型の医療機器の表示も十分に対応できる大きさである。
【００１４】
図２は本発明の一適用例であって、１はバーコード表示機能付き血糖値測定器、２はバーコード表示機能付き脈拍計、３はバーコード表示機能付き血圧計、４はベッドの横に掲示してある患者のＩＤ（名前）とそのバーコード、５は看護士のＩＤ（名札）とそのバーコード、１１はバーコードリーダ付きＰＨＳ、１８はアンテナである。ＰＨＳ１１に属するバーコードリーダには、ＣＣＤスキャン方式（光源に、ＬＥＤを使用）、レーザスキャン方式（光源に半導体レーザを使用）等の方式で表現する。医療品にはＥＡＮ１２８コードが多く用いられており、複数のコードを読めた方が便利なので、読み取り範囲の広いレーザスキャンで構成することにする。
【００１５】
看護士は、先ずバーコードリーダ付きＰＨＳ１１を使用し、看護士の名札に表示されているバーコードを検診者のＩＤとしてバーコードリーダで入力する。
次にバーコードリーダ付きＰＨＳ１１を使用し、ベッドの横に掲示してある患者のＩＤを表すバーコードをバーコードリーダで入力する。
次に、バーコード表示機能付き血糖値測定器１、バーコード表示機能付き脈拍計２、バーコード表示機能付き血圧計３でそれぞれ測定を行う。看護士は、そのデータが起こり得る正当な測定値範囲にあるか、測定ミスは無いかを確認する。正当な測定値範囲にあればその表示をバーコード表示切替えスイッチ２０５でバーコード表示に変える。データが正当な誤り測定値範囲でない測定ミスの場合には、データが正当な測定値範囲内になるまで測定を繰り返す。バーコード表示されたデータをバーコードリーダ付きＰＨＳ１１で入力する。入力されたデータはＰＨＳ１１で病院内の通信網へ送信され、院内網内に設けられた図示しないホストコンピュータへ接続される。看護士への音声での指示も、ＰＨＳ１１で行うことが出来る。
病院内のホストコンピュータは、患者毎に各データの収集整理を行う。
【００１６】
図３は、図２のバーコード付きＰＨＳが音声とデータを分離した例である。１３は無線通信（ここでは、Ｂｌｕｅｔｏｏｔｈ  ）を備えたバーコードリーダである。１２はＢｌｕｅｔｏｏｔｈ  付きＰＨＳである。看護士は、先ずバーコードリーダ付きＰＨＳ１１を使用し、看護士の名札に表示されているバーコードを検診者のＩＤとしてバーコードリーダで入力する。
次に、無線通信（ここでは、Ｂｌｕｅｔｏｏｔｈ  ）を備えたバーコードリーダ１３を使用し、ベッドの横に掲示してある患者のＩＤのバーコードをバーコードリーダで入力する。
また、バーコード表示機能付き血糖値測定器１、バーコード表示機能付き脈拍計２、バーコード表示機能付き血圧計３でそれぞれ測定を行う。看護士は、そのデータが正しいか、測定ミスは無いかを確認する。データが正当な測定値範囲にあればその表示をバーコード表示切替えスイッチ２０５でバーコード表示に変える。測定ミスの場合には、正当なデータが取得できるまで測定を繰り返す。バーコード表示されたデータをバーコードリーダ１３で入力する。入力されたデータはＢｌｕｅｔｏｏｔｈ  付きＰＨＳ１３によりＰＨＳ１２へ転送される。転送されたデータは、ＰＨＳで病院内の通信網へ送信され、院内網の図示しないホストコンピュータへ接続される。看護士への音声での指示も、ＰＨＳ１２で行うことができる。病院内のホストコンピュータは、患者毎に各データの集計を行う。
【００１７】
図４は、図２のバーコード付きＰＨＳ１１でデータと音声とを分離した例である。バーコードリーダ付きＰＨＳ１５は、データ通信のみを行う。
動作は、先ずバーコードリーダ付きＰＨＳ１５を使用し、看護士の名札に表示されているバーコードを検診者のＩＤとしてバーコードリーダで入力する。
次に、バーコードリーダ付きＰＨＳ１５を使用し、ベッドの横に掲示してある患者のＩＤのバーコードをバーコードリーダで入力する。
次に、バーコード表示機能付き血糖値測定器１、バーコード表示機能付き脈拍計２、バーコード表示機能付き血圧計３でそれぞれ測定を行う。看護士は、そのデータが正当な測定値範囲にあるか、測定ミスは無いかを確認する。データが正当な測定値範囲にあればその表示をバーコード表示切替えスイッチ２０５でバーコード表示に変える。測定ミスの場合には、正当なデータが取得できるまで測定を繰り返す。バーコード表示されたデータをバーコードリーダ１５で入力する。入力されたデータはＰＨＳ１５で病院内の通信網へ送信され、ホストのコンピュータへ接続される。看護士への音声での指示はＰＨＳ１４で行う。病院内のホストコンピュータは、患者毎に各データの集計を行う。
【００１８】
図５は、図２のバーコード付きＰＨＳ１１と血糖値測定器とを一体化した例である。１６はハンズフリー機能の付いたＰＨＳとバーコードリーダと血糖値測定器が一体化された機器である。看護士は、先ず、バーコードリーダ付きＰＨＳ１１を使用し、看護士の名札に表示されているバーコードを検診者のＩＤとしてバーコードリーダで入力する。
次に、バーコードリーダ１６を使用し、ベッドの横に掲示してある患者４のＩＤのバーコードをバーコードリーダで入力する。
次に、バーコード表示機能付き脈拍計２、バーコード表示機能付き血圧計３でそれぞれ測定を行う。看護士は、そのデータが正当な測定値範囲にあるか、測定ミスは無いかを確認する。データが正当な測定値範囲にあればその表示をバーコード表示切替えスイッチ２０５でそれぞれバーコード表示に変える。測定ミスの場合には、正当なデータが取得できるまで測定を繰り返す。バーコード表示されたデータをバーコードリーダ１１で入力する。入力されたデータと血糖値データは機器１６の中のＰＨＳで病院内の通信網へ送信され、ホストのコンピュータへ接続される。看護士への音声での指示も、機器１６のＰＨＳのハンズフリー機能を使い行うことができる。
病院内のホストコンピュータは、患者毎に各データの集計を行う。
【００１９】
図６は、図５のハンズフリー機能の付いたＰＨＳとバーコードリーダと血圧値測定器が一体化された機器の音声通話機能であるＰＨＳ１６を音声とデータとを分離した例である。１７はＰＨＳとバーコードリーダと血糖値測定器が一体化された機器である。
看護士は、先ずバーコードリーダ付きＰＨＳ１１を使用し、看護士の名札に表示されているバーコードを検診者のＩＤとしてバーコードリーダで入力する。
次に、バーコードリーダ１７を使用し、ベッドの横に掲示してある患者のＩＤのバーコードをバーコードリーダで入力する。
また、バーコード表示機能付き脈拍計２、バーコード表示機能付き血圧計３でそれぞれ測定を行う。看護士は、そのデータが正当な測定値範囲にあるか、測定ミスは無いかを確認する。正当な測定値範囲にあればその表示をバーコード表示切替えスイッチ２０５でそれぞれバーコード表示に変える。測定ミスの場合には、データが正当な測定値範囲になるまで測定を繰り返す。バーコード表示されたデータをバーコードリーダ１７で入力する。入力されたデータと血糖値データはバーコードリーダ１７の中のＰＨＳで病院内の通信網へ送信され、院内網内の図示しないホストコンピュータへ接続される。看護士への音声での指示は、ＰＨＳ１４を用いて行う。院内網内のホストコンピュータは、患者毎に各データの集計を行う。
【００２０】
図７は、図２の使用例の動作を説明するためのフローチャートである。
（Ａ０１）先ず、検診を行う看護士は、自分のＩＤの名札につけてあるバーコードをＰＨＳ付きバーコードリーダ１１で入力する。
（Ａ０２）次に、ベッドに取り付けられている患者のＩＤであるバーコードをＰＨＳ付きバーコードリーダ１１で入力する。
（Ａ０３）患者に必要な医療データを測定する医療機器を選択する。
（Ａ０４）医療器で測定する。この時、看護士は、そのデータが正当な測定値範囲か、否かを数値表示で確認する。
（Ａ０５）測定値が正当な測定値範囲内にないときには、もう１度検診をする。正当なデータが得られる正しい検診ができるまで繰り返す。
（Ａ０６）正しい検診データを確認した看護士は、医療機器に付いている液晶表示切替えスイッチ２０５で数値データをバーコード表示に変える。
（Ａ０７）そのバーコードをＰＨＳ付きバーコードリーダ１１で入力する。
（Ａ０８）患者の検診が終わるまで必要な医療データを測定する。
（Ａ０９）看護士のＩＤ、患者のＩＤ、患者に必要な検診データを病院内の通信網であるＰＨＳを使用し送信する。
（Ａ０１０）全ての患者のデータを測定するまで上記手順を繰り返す。
【００２１】
次に、医療機器のデータにおける正当な測定範囲の１例をバーコードリーダで読む時の手順とともに説明する。医療機器で表示されたデータは、まず数値表示される。この時看護士はその数値が妥当であるかどうかを判断する。例えば、体温計の場合、約３４℃〜４２℃が予想可能のデータである。表示が２５℃或いは５０℃と表示されれば、誤り（異常）と判断し再測定する。
別の例では、ある患者が通常は３６．４度であった場合に、ある日突然３７．２度となったときには、通常の人間の体温としては、予想できる数値であるが、この患者にとっては、異常値である。そこで看護士は、再確認のために、もう１度再検査を行う。
このようにバーコードリーダに数値データとして読み込む前に、看護士が過去のデータ等を考慮の上、測定ミスかどうか判断、或いは、疑い、確認作業を行う事ができる。
機械では正常と判断された数値は、看護士の本来の医療判断としてチェックを行うことが可能となり、その数値データはバーコードで表示される。これは、測定データを有線、無線で直接ホストコンピュータへ伝送する場合に比べ、看護士のチェックが入るため、はるかに信頼性が向上する。
この例の場合、測定表示の際、有り得る範囲の値を予め表示装置に付随するＣＰＵに記憶させておき、その範囲以外の値が測定された場合は、エラー表示が出るように構成すれば、明らかな機械的な誤検診が除かれ、看護士の本来の判断業務に専念でき、看護士の業務を軽減することに繋がる効果がある。
【００２２】
図８は、このような医療データを測定する手順を実行する制御動作を説明するためのフロー図である。
図８（ａ）は、この制御の基本的動作を示すフロー図であり、医療機器で検診がなされた際に（Ｓ１）、「数値データは正しいか」のテストが行われ（Ｓ２）、そのテストが正しいと判断されたとき（ＹＥＳ）、医療機器の液晶表示をバーコード表示に切替えをし（Ｓ３）、そのテストが正しいと判断されなかったときに（ＮＯ）、再び医療機器で検診が行われる（Ｓ１）。
【００２３】
図８（ｂ）は、図８（ａ）による制御の詳細例を示すものであり、医療機器で検診が行われた後（Ｓ１）、その「測定値は正常値上限以内か」（体温計による人体の体温測定の場合には、上限値は例えば４２℃）をテストし（Ｓ２１）、そのテストが正しいと判断されたときにその「測定値は正常値下限以内か」（上記の体温計の場合には、下限値は例えば３４．５℃）をテストする（Ｓ１２）。これらのＳ２１，Ｓ２２のテストが正しいと判断されなかったときには、再び「医療機器で検診」をし（Ｓ１）、Ｓ２２のテストが正しいと判断されたときに（ＹＥＳ）、「患者の過去のデータから判断して正常か」（患者の通常の体温が例えば３６．４℃であったときに、例えば３６．４℃±０．５の範囲にあるか）のテストをし（Ｓ２３）、そのテストがこの範囲を越えて例えば３７．２℃であったとき（ＮＯ）に、再測定をする（Ｓ２４）。その再測定の結果に対して「測定データに再現性はあるか」のテストをする（Ｓ２５）。このテストの結果がＮＯであったときには、再測定（Ｓ２４）をし、Ｓ２３とＳ２５の各テストがＹＥＳであったときには、医療機器の液晶表示をバーコード表示に切替えする（Ｓ３）。
【００２４】
図９は、人体の体温を測定するための体温計に、図１の構成をとり、図８（ｂ）に示すような制御動作を行う場合の体温計の具体例を示すものであり、（ａ）は液晶パネル２０７に３６．５℃の数値が示されている場合を示しており、液晶表示切替えスイッチ２０５を制御することにより、（ｂ）に示すように液晶パネル２０７にバーコード表示がなされる。
【００２５】
以上は主として、病院等における人体医療データを収集するために用いるデータ表示装置として本発明を適用した場合について説明したが、本発明はこのような例に限らず、対象物の「変化する状態」を表す「状態表示データ」を表示する場合に適用可能である。
例えば、温室，冷凍庫等の室内外空気温度の表示、給水施設，プール等の水温表示、外気圧の表示、等のように、一般的にメータによるアナログ表示又はディジタル表示している状態表示データに適用可能である。
【００２６】
【発明の効果】
以上詳細に説明したように、本発明によれば、手書きやキー操作によらない簡単な操作で誤入力の危険性を防止して人体医療データの如き対象物の変化する状態を表す状態表示データの効率的データの収集作業を簡易な構成により実現させることができ、その表示データは直ちにディジタル情報として記録され、パソコン等により容易に処理編集して利用することができるので、実用的効果は極めて大きい。
【図面の簡単な説明】
【図１】本発明を人体医療データの収集に適用した場合の実施例を示すブロック図である。
【図２】本発明を人体医療データの収集に適用した場合の実施例を説明するためのブロック図である。
【図３】図２の使用例の変形を示すブロック図である。
【図４】図２の使用例の他の変形を示すブロック図である。
【図５】図２の使用例の他の変形を示すブロック図である。
【図６】図５の使用例の変形を示すブロック図である。
【図７】図２の使用例の動作を説明するためのフロー図である。
【図８】本発明装置における制御動作を説明するためのフロー図である。
【図９】本発明を人体の体温を測定する体温計に適用した場合の装置例を示す平面図である。
【符号の説明】
１  血糖値測定器
２  脈拍計
３  血圧計
４  患者
５  看護士
１１  ＰＨＳ（バーコードリーダ付）
１２  ＰＨＳ（Ｂｌｕｅ  ｔｏｏｔｈ付）
１３  バーコードリーダ（Ｂｌｕｅ  ｔｏｏｔｈ）
１４  ＰＨＳ
１５  ＰＨＳ（バーコードリーダ付）
１６  ハンズフリー機能付きＰＨＳ（バーコードリーダ付）
１７  ＰＨＳ（血糖値測定器）
１８  ＰＨＳ
１０１  患者
２０１  センサ
２０２  Ａ／Ｄ変換器
２０３  ＣＰＵ
２０５  液晶表示切替スイッチ
２０６  液晶ドライバ
２０７  液晶パネル
３０１  バーコード表示付き医療機器
【図１】
2004181052.tif 000003
【図２】
2004181052.tif 000004
【図３】
2004181052.tif 000005
【図４】
2004181052.tif 000006
【図５】
2004181052.tif 000007
【図６】
2004181052.tif 000008
【図７】
2004181052.tif 000009
【図８】
2004181052.tif 000010
【図９】
2004181052.tif 000011